(57)【要約】【課題】端子保持力を向上させて端子のガタつきや端子抜けを確実に防止することができるコネクタを提供する。【解決手段】コネクタ１１は、メス端子１３を収容する端子収容室２７が形成されたハウジング１７と、ハウジング１７のスペーサ挿入口３３から組み込まれ、端子収容室２７へのメス端子１３の挿入を可能とする仮係止位置と抜け止めをする本係止位置とでハウジング１７に係止されるスペーサ１５と、を備える。スペーサ１５には、メス端子１３の一方の側面７３に当接して端子収容室２７の反対側の側壁７５にメス端子１３の他方の側面７７を押し付ける押圧用当接部７９が設けられ、反対側の側壁７５と他方の側面７７との間には、互いに凹凸嵌合する嵌合係止機構８０が設けられる。【選択図】図５
2014107235.tif 000002
【特許請求の範囲】
【請求項１】
端子を収容する端子収容室が形成されたハウジングと、
前記ハウジングの一側面に開口したスペーサ挿入口から組み込まれ、前記端子収容室への前記端子の挿入を可能とする仮係止位置と前記端子の抜け止めをする本係止位置とで前記ハウジングに係止されるスペーサと、を備えたコネクタであって、
前記スペーサには、前記スペーサ挿入口に臨んだ前記端子の一方の側面に当接して前記端子収容室の反対側の側壁に前記端子の他方の側面を押し付ける押圧用当接部が設けられ、
前記端子収容室の反対側の側壁と前記端子の他方の側面との間には、互いに凹凸嵌合する嵌合係止機構が設けられることを特徴とするコネクタ。
【請求項２】
請求項１記載のコネクタであって、
前記嵌合係止機構が、前記端子の導体圧着部の底壁に突出形成された複数のセレーションと、前記セレーションに対応して前記端子収容室の反対側の側壁に凹設された複数の嵌合溝とで構成されることを特徴とするコネクタ。
【請求項３】
請求項２記載のコネクタであって、
前記端子を前記端子収容室に係止するランスが、前記スペーサ挿入口を開口した前記端子収容室のスペーサ挿入開口側の側壁に設けられることを特徴とするコネクタ。
【発明の詳細な説明】
【技術分野】
【０００１】
本発明は、コネクタに関する。
【背景技術】
【０００２】
ハウジングの端子収容室（キャビティとも称す。）に挿入された端子（端子金具とも称す。）に対してランスを係止した端子一次係止状態に加え、ハウジングに装着するスペーサ（リテーナとも称す。）にて更に端子を係止して端子二次係止状態とし、端子保持の信頼性を高めるコネクタが知られている。
また、端子収容室内における端子のガタつきを防止して、端子の磨耗を防止するコネクタも提案されている（例えば、特許文献１、２参照）。
【０００３】
特許文献１に開示される図６に示すコネクタ５０１は、リテーナ５０３に設けられた底部当接部５０５が、雌側端子金具５０７の接続部５０９の底面を押し上げて、キャビティ５１１の天井面との間で挟み付けると共に、前方当接部５１３が接続部５０９の前面に当接して雌側端子金具５０７を後方に押し戻し、がたつきを抑制するものである。
【０００４】
また、特許文献２に開示される図７に示すコネクタ５１５は、キャビティ５１１におけるランス５１７の係止部５１９に対向する上面の角部に第一案内面５２１を設け、リテーナ５２３を装着したときランス５１７を強制的に上方に変位させることで端子金具５２５の角筒部５２７を第一案内面５２１に押し当ててガタつきを抑制するものである。
【先行技術文献】
【特許文献】
【０００５】
【特許文献１】特開２００１−１１０５００号公報
【特許文献２】特開２００４−１４６１８２号公報
【発明の概要】
【発明が解決しようとする課題】
【０００６】
しかしながら、上述したコネクタ５０１やコネクタ５１５は、リテーナ５０３やリテーナ５２３を装着した時に、雌側端子金具５０７や端子金具５２５の端子前部に設けた接続部５０９や角筒部５２７をキャビティ５１１の天井面や第一案内面５２１に押し当ててガタつきを抑制するものであり、端子係止箇所が増えるものではないので、端子保持力の向上は期待できない。
【０００７】
そこで、雌側端子金具５０７や端子金具５２５の端子後部に接続された電線にハーネステンション等が作用して雌側端子金具５０７や端子金具５２５に強い引張り力が加わった際には、接続部５０９や角筒部５２７がキャビティ５１１内で上下左右方向に振られてしまい、ガタつきや端子抜けを生じる可能性があった。
【０００８】
本発明は上記状況に鑑みてなされたもので、その目的は、端子保持力を向上させて端子のガタつきや端子抜けを確実に防止することができるコネクタを提供することにある。
【課題を解決するための手段】
【０００９】
本発明に係る上記目的は、下記構成により達成される。
（１）  端子を収容する端子収容室が形成されたハウジングと、前記ハウジングの一側面に開口したスペーサ挿入口から組み込まれ、前記端子収容室への前記端子の挿入を可能とする仮係止位置と前記端子の抜け止めをする本係止位置とで前記ハウジングに係止されるスペーサと、を備えたコネクタであって、前記スペーサには、前記スペーサ挿入口に臨んだ前記端子の一方の側面に当接して前記端子収容室の反対側の側壁に前記端子の他方の側面を押し付ける押圧用当接部が設けられ、前記端子収容室の反対側の側壁と前記端子の他方の側面との間には、互いに凹凸嵌合する嵌合係止機構が設けられることを特徴とするコネクタ。
【００１０】
上記（１）の構成のコネクタによれば、端子が端子収容室に挿入され、スペーサ挿入口からハウジングに挿入されたスペーサが本係止位置となると、端子をスペーサが係止して抜け止めをする。このとき同時に、スペーサの押圧用当接部が端子の一方の側面に当接する。端子は、一方の側面がスペーサの押圧用当接部によって当接されることで、一方の側面の背面側となる他方の側面が端子収容室の反対側の側壁に押し付けられる。端子の他方の側面が端子収容室の反対側の側壁に押し付けられると、他方の側面と反対側の側壁とに亘って設けられる嵌合係止機構が互いに凹凸嵌合し合い、端子がガタつきのない状態で係止される。これにより、係止状態がより安定し、端子保持の信頼性が一層高められる。勿論、嵌合係止機構による端子係止箇所が増えるので、係止力（係止強度）も高まることになる。
【００１１】
（２）  上記（１）の構成のコネクタであって、前記嵌合係止機構が、前記端子の導体圧着部の底壁に突出形成された複数のセレーションと、前記セレーションに対応して前記端子収容室の反対側の側壁に凹設された複数の嵌合溝とで構成されることを特徴とするコネクタ。
【００１２】
上記（２）の構成のコネクタによれば、端子の導体圧着部の底壁に形成されるセレーションと、このセレーションに嵌合可能となる端子収容室の反対側の側壁に凹設される嵌合溝とによって、嵌合係止機構が容易に形成可能となる。
更に、端子においては、相手端子と接触するため端子前部に形成された電気接触部から離間された端子後部位置となる導体圧着部の底壁に嵌合係止機構の構成部位であるセレーションが形成される。そこで、電気接触部がスペーサに押圧されることはなく、電気接触状態の信頼性に影響を及ぼすことがない。また、端子後部の導体圧着部が嵌合係止機構により係止されることで、端子後部に接続された電線にハーネステンション等が作用して端子に強い引張り力が加わった際にも、引張り力が電気接触部には直接作用せず、電気接触部が端子収容室内で上下左右方向に振られことはない。
【００１３】
（３）  上記（２）の構成のコネクタであって、前記端子を前記端子収容室に係止するランスが、前記スペーサ挿入口を開口した前記端子収容室のスペーサ挿入開口側の側壁に設けられることを特徴とするコネクタ。
【００１４】
上記（３）の構成のコネクタによれば、端子に対して作用するランスの付勢方向と、スペーサの挿入方向とが一致し、端子に作用する付勢方向が同一方向となって、端子が端子収容室内で安定する。
【発明の効果】
【００１５】
本発明に係るコネクタによれば、端子保持力を向上させて端子のガタつきや端子抜けを確実に防止することができる。
【００１６】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１７】
【図１】本発明の一実施形態に係るコネクタの分解斜視図である。
【図２】（ａ）はスペーサが仮係止位置のハウジングをスペーサ係止部で切り欠いた断面図及びその要部拡大図、（ｂ）はスペーサが本係止位置のハウジングをスペーサ係止部で切り欠いた断面図及びその要部拡大図である。
【図３】ハウジングとハウジングに装着前の端子との縦断面図及びその要部拡大図である。
【図４】スペーサが仮係止位置で端子が装着されたハウジングの縦断面図及びその要部拡大図である。
【図５】スペーサが本係止位置となったハウジングの縦断面図及びその要部拡大図である。
【図６】リテーナが装着された従来のコネクタの縦断面図である。
【図７】（ａ）はリテーナが装着された従来の他のコネクタの縦断面図、（ｂ）はその端子挿入方向に直交する面での横断面図である。
【発明を実施するための形態】
【００１８】
以下、本発明に係る実施形態を図面を参照して説明する。
図１〜図３に示すように、本発明の一実施形態に係るコネクタ１１は、端子であるメス端子１３を二次係止するためのスペーサ１５を備える。本実施形態において、コネクタ１１は、メス端子１３を装着するメスコネクタの場合を例に説明するが、オス端子を装着するオスコネクタであっても勿論よい。
【００１９】
コネクタ１１は、メス端子１３を収容する合成樹脂製のハウジング１７を有する。ハウジング１７は、ハウジング本体１９の前端側が不図示の相手コネクタのフード部に進入するフード進入部２１となる一方、後端側に端子装着開口部２３が形成される（図３参照）。フード進入部２１の先端面にはオス端子進入孔２５が開口される。本実施形態においてフード進入部２１が嵌合する相手コネクタは、オス端子を装着したオスコネクタとなる。
ハウジング本体１９には端子収容室２７が複数画成され、それぞれの端子収容室２７は前方がオス端子進入孔２５に通じ、後方が端子装着開口部２３に通じる。本実施形態において、端子収容室２７は、図２に示すように、左右２つが配設されている。ハウジング本体１９には、端子収容室２７へ突出する弾性係止片（所謂、ランス２９）がそれぞれの端子収容室２７に応じ一体に形成されている。
【００２０】
ハウジング本体１９の一側面３１（図３の下側の面）にはスペーサ挿入口３３が開口される。スペーサ挿入口３３は、ハウジング本体１９の下面側から端子収容室２７の内方に所定深さをもって凹設されており、スペーサ１５をハウジング本体１９の内方へ組み込み可能とする。
【００２１】
メス端子１３を端子収容室２７に係止するランス２９は、スペーサ挿入口３３を開口した端子収容室２７のスペーサ挿入開口側の側壁３５に設けられる。即ち、スペーサ１５の挿入方向Ｆと、ランス２９による端子付勢方向ｆとは、同一方向となっている。
【００２２】
このスペーサ挿入口３３が形成されたハウジング本体１９の両側壁部には、下面側から上方向へ窪む係止側板挿入凹部３７が設けられている（図２参照）。係止側板挿入凹部３７の凹部内面には、第１係止受け部３９と第２係止受け部４１とがスペーサ挿入方向の手前側から順に突設されている。第１係止受け部３９は、スペーサ挿入方向の手前側がガイド斜面４３となり、その反対側が仮係止垂直面４５となる。第２係止受け部４１は、スペーサ挿入方向の手前側がガイド斜面４３となり、その反対側が本係止斜面４７となる。これら第１係止受け部３９及び第２係止受け部４１は、後述するスペーサ１５を、仮係止位置及び本係止位置に保持するためのものである。
【００２３】
メス端子１３は、端子前部に箱状の電気接触部４９を有し、電気接触部４９から後方に向けてランス係止部５１、段部５３、導体圧着部５５、外被固定部５７が順次連設されている。電気接触部４９は、端子収容室２７に配置され、コネクタ結合状態において、相手コネクタの進入するオス端子と接続される。ランス係止部５１は、メス端子１３が端子収容室２７の所定位置に挿入されることで、弾性復帰したランス２９に後方から当接され、メス端子１３の後方（図３の右方）抜けを規制する。
【００２４】
段部５３は、メス端子１３が正規位置に装着されると、図２（ｂ）に示す本係止位置となったスペーサ１５の端子二次係止部６１（図１参照）に対向して近接配置される（図５参照）。即ち、メス端子１３は、段部５３が端子二次係止部６１に当たって、後方への抜けが規制される二次係止状態となる。
端子後部の導体圧着部５５は、起立する圧着片を有し、圧着片が塑性変形されることにより電線導体９３と導通状態となって固定される。外被固定部５７は、加締め片を有し、加締め片が外被外周から電線９１に加締められることでメス端子１３を電線９１の端末に固定する。
【００２５】
矩形板状のスペーサ本体６３には、端子収容室２７の下側に配置可能となる上述した２つの端子二次係止部６１（図１参照）が設けられている。スペーサ１５は、本係止位置になると、この端子二次係止部６１がメス端子１３の段部５３に当たり（図５参照）、メス端子１３の後方への抜けを阻止する。
【００２６】
スペーサ本体６３の両側には、図１に示すように、係止側板６５が対面するように延設される。この係止側板６５の内側対向面の上端には係止爪６７（図２参照）が突設される。この係止爪６７は、スペーサ１５がスペーサ挿入口３３から挿入されると、第１係止受け部３９のガイド斜面４３に乗り上げた後、図２（ａ）に示すように、仮係止垂直面４５に係止されて、第１係止受け部３９と第２係止受け部４１との間に配置される。この状態が、スペーサ１５の仮係止位置となる。この仮係止位置において、端子二次係止部６１は端子収容室２７へ進入していない。スペーサ１５が更に挿入されると、係止爪６７は第２係止受け部４１のガイド斜面４３を乗り越えた後、図２（ｂ）に示す本係止斜面４７に係止される。この状態が、スペーサ１５の本係止状態である。スペーサ１５はこの本係止位置となることで、端子収容室２７に収容されたメス端子１３の段部５３に、端子二次係止部６１が対向配置された状態となる（図５参照）。
【００２７】
スペーサ１５は、ハウジング１７の一側面３１に開口したスペーサ挿入口３３から組み込まれ、端子収容室２７へのメス端子１３の挿入を可能とする仮係止位置と、メス端子１３の抜け止めをする本係止位置とでハウジング１７に係止される。スペーサ１５は、本係止位置では図５に示すように、後端部７１がスペーサ挿入口内に収容され、仮係止位置では図４に示すように、後端部７１がスペーサ挿入口３３から突出する。
【００２８】
更に、本実施形態のスペーサ１５には、図１及び図４に示すように、スペーサ挿入口３３に臨んだメス端子１３の一方の側面７３に当接して端子収容室２７の反対側の側壁７５にメス端子１３の他方の側面７７を押し付ける押圧用当接部７９が設けられている。
また、端子収容室２７の反対側の側壁７５とメス端子１３の他方の側面７７との間には、互いに凹凸嵌合する嵌合係止機構８０が設けられている（図４参照）。この嵌合係止機構８０は、端子の導体圧着部５５の底壁に突出形成された複数のセレーション８１（鋸歯状の刻み部）と、このセレーション８１に対応して端子収容室２７の反対側の側壁７５に凹設された複数の嵌合溝８３とで構成される。刻み部は、メス端子１３の一方の側面７３に端子挿入方向と直交方向（図４の紙面垂直方向）に延在する微小凹部８５を有する。この微小凹部８５は、メス端子１３の他方の側面７７で微小凸条８７となり、この微小凸条８７が反対側の側壁７５の嵌合溝８３と嵌合する。
【００２９】
次に、上記構成を有するコネクタ１１の作用を説明する。
本実施形態に係るコネクタ１１では、図３に示すように、メス端子１３の装着前に、スペーサ１５がハウジング１７の仮係止位置に装着されている。この状態で、図４に示すように、メス端子１３がランス２９を弾性変位させながら端子収容室２７へ挿入されると、弾性変位したランス２９が弾性復帰してメス端子１３を係止する。これにより、メス端子１３はランス２９によって抜けが規制されて一次係止状態となる。全てのメス端子１３が装着されると、スペーサ１５が押し込まれ、スペーサ１５は図２（ｂ）に示した本係止位置となる。スペーサ１５の本係止位置では、図５に示すように、端子二次係止部６１がメス端子１３の段部５３に対向配置される。これにより、ランス２９に抜け止めされたメス端子１３は、更にスペーサ１５によって二重に抜け止めされて端子二次係止状態となる。
【００３０】
このとき同時に、スペーサ１５の押圧用当接部７９がメス端子１３の一方の側面７３に当接する。メス端子１３は、一方の側面７３がスペーサ１５の押圧用当接部７９によって当接されることで、一方の側面７３の背面側となる他方の側面７７が端子収容室２７の反対側の側壁７５に押し付けられる。メス端子１３の他方の側面７７が端子収容室２７の反対側の側壁７５に押し付けられると、他方の側面７７と反対側の側壁７５とに亘って設けられる嵌合係止機構８０が互いに凹凸嵌合し合い、メス端子１３がガタつきのない状態で係止されて端子三次係止状態となる。
【００３１】
本来、メス端子１３がスペーサ１５によって二重に抜け止めされる端子二次係止状態までは、メス端子１３にはクリアランス（メス端子１３のランス係止を可能にするための端子挿入方向の遊び）によるガタつきが存在するが、この嵌合係止機構８０によってガタつきが規制されるので、メス端子１３のランス係止部５１に対するランス２９の係止掛かり代に変動が生じにくくなる。これにより、ランス係止状態がより安定し、端子保持の信頼性が一層高められる。勿論、メス端子１３のランス係止部５１とランス２９、メス端子１３の段部５３とスペーサ１５の端子二次係止部６１とによる係止に加え、嵌合係止機構８０による端子係止係止箇所が増えるので、係止力（係止強度）も更に高まることになる。
【００３２】
また、本実施形態のコネクタ１１では、メス端子１３の導体圧着部５５の底壁に形成されるセレーション８１と、このセレーション８１に嵌合可能となる端子収容室２７の反対側の側壁７５に凹設される嵌合溝８３とによって、嵌合係止機構８０が容易に形成可能となる。
更に、メス端子１３においては、相手端子と接触するため端子前部に形成された電気接触部４９から離間された端子後部位置となる導体圧着部５５の底壁に嵌合係止機構８０の構成部位であるセレーション８１が形成される。そこで、上述した端子三次係止状態によって電気接触部４９がスペーサ１５に押圧されることはなく、電気接触状態の信頼性に影響を及ぼすことがない。
【００３３】
また、端子後部の導体圧着部５５が嵌合係止機構８０により係止されることで、端子後部に接続された電線９１にハーネステンション等が作用してメス端子１３に強い引張り力が加わった際にも、引張り力が電気接触部４９には直接作用せず、電気接触部４９が端子収容室２７内で上下左右方向に振られことはない。
【００３４】
更に、本実施形態のコネクタ１１では、メス端子１３に対して作用するランス２９の端子付勢方向ｆと、スペーサ１５の挿入方向Ｆとが一致し、メス端子１３に作用する付勢方向が同一方向となって、メス端子１３が端子収容室２７内で安定する。
【００３５】
従って、本実施形態に係るコネクタ１１によれば、端子保持力を向上させてメス端子１３のガタつきや端子抜けを確実に防止することができる。
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３６】
１１…コネクタ
１３…メス端子（端子）
１５…スペーサ
１７…ハウジング
２７…端子収容室
２９…ランス
３１…一側面
３３…スペーサ挿入口
３５…スペーサ挿入開口側の側壁
５５…導体圧着部
７３…一方の側面
７５…反対側の側壁
７７…他方の側面
７９…押圧用当接部
８１…セレーション
８３…嵌合溝
【図１】
2014107235.tif 000003
【図２】
2014107235.tif 000004
【図３】
2014107235.tif 000005
【図４】
2014107235.tif 000006
【図５】
2014107235.tif 000007
【図６】
2014107235.tif 000008
【図７】
2014107235.tif 000009